(57)【要約】【課題】目地カバー材による継目部の外観性やその取付けの長期安定性の向上を図ることができ、しかも施工性や取り外しをともなうメンテナンス性も良好な壁材留め付け構造とする。【解決手段】隣接位置で、壁材端部の取付片部１１、１２が相互に重ねられ、継目部４０の形成をともなって止着具３０で壁面２０に留め付けられる壁材留め付け構造において、嵌合片部５１を有する目地カバー材５０が、該嵌合片部５１で、対向する壁材１０Ａ、１０Ｂ本体端部の溝部１５、１６に嵌合保持されて継目部４０を覆うようにする。【選択図】図１
2013091904.tif 000002
【特許請求の範囲】
【請求項１】
隣接位置で、壁材端部の取付片部が相互に重ねられ、継目部の形成をともなって止着具で壁面に留め付けられる壁材の留め付け構造において、嵌合片部を有する目地カバー材が、該嵌合片部で、対向する壁材本体の端部に設けられた溝部に嵌合保持されて継目部を覆うことを特徴とする壁材留め付け構造。
【請求項２】
目地カバー材の嵌合片部および壁材本体端部の溝部内の少くともいずれかにはクッション材もしくはクッション性止水材が設けられて嵌合保持されることを特徴とする請求項１に記載の壁材留め付け構造。
【請求項３】
壁材端部の取付片部の重なり部分には防水材が貼着されていることを特徴とする請求項１または２に記載の壁材留め付け構造。
【発明の詳細な説明】
【技術分野】
【０００１】
本発明は壁材の留め付け構造に関するものである。
【背景技術】
【０００２】
従来より、例えば図８に示したような、金属外装材１ａとその裏面側に貼着された断熱材１ｂとを有し、止着具により壁面に留め付けされるための取付片部１ｃを備えた金属サイディングを壁材１とすることが知られている。
【０００３】
この壁材１は、壁面への取り付けでは、図９に矢印でも示したように、ＡからＥの方向に順次に壁面２に留め付けて張り進めている。隣接する壁材１は、拡大図のように止着具３で固定した壁材１の端面にサネ構造や合いじゃくり構造として接続されている。
【０００４】
しかし、この従来の留め付けでは、仮にＡの壁材１を破損等の補修や交換のために取り外したい場合には、ＢからＥの壁材１を止着具３とともに全て取り外すことが必要となる。そこで、交換等のメンテナンス性を向上させるために、金属サイディングの壁材１として、図１０に示したように、短辺両端部に取付片部１ｃ、１ｄを備えたものが提案されている（特許文献１参照）。留め付け時には、図１１のように、隣接位置で、壁材１端部の取付片部１ｃ、１ｄが相互に重ねられ、継目部４の形成をともなって、止着具３で壁面２に留め付けられる。
【０００５】
この留め付けの構造では、例えばＡの壁材１の前後もしくは左右の止着具３を解除するだけで、Ａの壁材１だけを補修交換等のために取り外すことが可能となる。図９の場合のように他の全ての壁材１を取り外す必要がないことから、メンテナンス性は顕著に向上することになる。
【０００６】
ただ、この留め付け構造ではネジ等の止着具３が継目部４から外観として見えてしまうことになる。そこで、特許文献１においては、外観性を改善するために、継目部４内にシーリング材を充填することや、目地カバー材で継目部４を覆うことも提案されている。後者では、図１２のように、目地カバー材５の弾性片部５ａを継目部４内の壁材１の対向端面に弾発力で係止させる構造がまず考慮されている。また、図１３のように、継目部４内に樹脂ピース６を挿入し、その底面部６ａを取付片部１ｃ、１ｄとともに重ねて止着具３で留め付け、次いで、爪部６ｂに目地カバー材５の弾性片部５ａの端部を係合させることが提案されている。
【先行技術文献】
【特許文献】
【０００７】
【特許文献１】特開２００５−５４４３５号公報
【発明の概要】
【発明が解決しようとする課題】
【０００８】
特許文献１の金属サイディング壁材の留め付け構造では、壁面から補修交換等のための取り外しや再取り付けにともなうメンテナンス性や継目部４の外観性の向上が図られている。しかしながら、継目部４内へのシーリング材の充填は壁材１表面との異質感があり、汚れも目立ちやすいという問題がある。一方、継目部４を目地カバー材５で覆う方策では、壁材１の対向端面への弾発力での係止は長期安定性に難がある。また、樹脂ピース６を用いる場合には別部材として用意しなければならず、コスト面だけでなく、施工上、そして、取り外しをともなうメンテナンス上にも難点がある。
【０００９】
本発明は、以上のことから、目地カバー材による継目部の外観性や取付けの長期安定性の向上を図ることができ、しかも、コスト面だけでなく、施工性や取り外しをともなうメンテナンス性も良好な、壁材留め付け構造を提供することを課題としている。
【課題を解決するための手段】
【００１０】
本発明の壁材留め付け構造は、隣接位置で、壁材端部の取付片部が相互に重ねられ、継目部の形成をともなって止着具で壁面に留め付けられる壁材の留め付け構造において、嵌合片部を有する目地カバー材が、該嵌合片部で、対向する壁材本体の端部に設けられた溝部に嵌合保持されて継目部を覆うことを特徴としている。
【００１１】
上記の壁材留め付け構造では、目地カバー材の嵌合片部および壁材本体端部の溝部内の少くともいずれかにはクッション材もしくはクッション性止水材が設けられて嵌合保持されることが好ましい。
【００１２】
また、上記の壁材留め付け構造では、壁材端部の取付片部の重なり部分には防水材が貼着されていることが好ましい。
【発明の効果】
【００１３】
本発明の壁材留め付け構造では、継目部を目地カバー材で覆い、これを継目部で対向する壁材本体の溝部にしっかりと嵌合保持することから、外観性や取付けの長期安定性が向上する。しかも、補修交換等の場合には、目地カバー材の取り外しや壁材の取り外し、そして再取り付け等が容易であって、メンテナンス性が向上する。
【図面の簡単な説明】
【００１４】
【図１】本発明の壁材留め付け構造の一実施形態を例示した断面図である。
【図２】クッション性止水材の配設並びに重なり部分の防水材貼着の実施形態を例示した断面図である。
【図３】溝部が深い位置に設けられた実施形態を例示した断面図である。
【図４】溝部が深い位置で嵌合片部の足の長い目地カバー材の実施形態を例示した断面図である。
【図５】対向する溝部が相互に異なる位置に設けられた実施形態を例示した断面図である。
【図６】対向する溝部が異なる形状で設けられた実施形態を例示した断面図である。
【図７】目地カバー材の保持位置が低い実施形態を例示した断面図である。
【図８】従来の一般的な金属サイディング壁材を例示した要部斜視図である。
【図９】従来の金属サイディング壁材の留め付けによる接続状態を例示した断面図である。
【図１０】取り外し等のメンテナンス性が改善された壁材を例示した要部斜視図である。
【図１１】図１０例示の壁材の留め付けによる接続状態を例示した断面図である。
【図１２】目地カバー材を弾発力により継目部に係止する例を示した断面図である。
【図１３】樹脂ピースを用いた例を示した断面図である。
【発明を実施するための形態】
【００１５】
図１の断面図は、本発明の壁材留め付け構造の一実施形態を隣接する壁材１０Ａ、１０Ｂの接続状態として示している。壁材１０Ａ、１０Ｂの各々は、その短辺両端部に壁材本体から延設された取付片部１１、１２を有し、たとえば金属外装材１３と発泡樹脂等の断熱材１４とによって構成されている。取付片部１１、１２は、例えば金属外装材１３から延設して板金加工等により形成することができる。隣接する位置では、壁材１０Ａの取付片部１１と壁材１０Ｂの取付片部１２とが相互に重ねられ、ネジや釘等の止着具３０で壁面２０に留め付けられる。この留め付けにともなって、止着具３０の上部には継目部４０が形成される。
【００１６】
継目部４０において対向する壁材１０Ａ、１０Ｂの本体端部には溝部１５、１６が設けられている。この溝部１５、１６への目地カバー材５０の嵌合片部５１の嵌合により、目地カバー材５０が継目部４０に保持される。これによって、継目部４０は目地カバー材５０で覆われ、止着具３０は外観として見えることはない。
【００１７】
目地カバー材５０は、例えば、金属、樹脂あるいはその複合材をもって構成することができる。継目部４０への装着、あるいは取り外しが比較的容易とされるべく、目地カバー材５０は剛性強度とともに弾性変形性を有するものとし、嵌合片部５１が溝部１５、１６内にしっかりと確実に長期にわたって安定して嵌合保持される。
【００１８】
溝部１５、１６は、壁材１０Ａ、１０Ｂの本体を構成する金属外装材１３をもって形成されることで、強度、耐久性ともに良好である。
【００１９】
仮に、壁材１０Ａのみを補修や交換等のために取り外す際には、目地カバー材５０を弾性変形させて取り外し、次いで止着具３０を取り除くことで容易に取付片部１１、１２での留め付けを解除することが可能となる。メンテナンス性は極めて良好である。
【００２０】
目地カバー材５０の嵌合片部５１、もしくは壁材１０Ａ、１０Ｂ本体端部の溝部１５、１６の内部のいずれかにクッション材もしくはクッション性止水材を設けることも望ましく考慮される。図２は、溝部１５、１６内にクッション性止水材６０が設けられた実施の形態を示している。クッション材、クッション性止水材のいずれにおいても溝部１５、１６への嵌合片部５１の嵌合による保持のための施工のばらつきがあってもこれが吸収され、取り付け性が向上されることになる。また、シリコン材や発泡ポリオレフィン材、発泡ウレタン材等のクッション性止水材６０である場合には、防水、止水性も実現可能となる。
【００２１】
また、壁材１０Ａ、１０Ｂの壁面２０への留め付けにともなう防水、止水性を確保、もしくは向上させるために、図２の実施形態では、取付片部１１、１２の重なり部分には、止水のための発泡止水材、例えば発泡ポリオレフィン材や発泡ウレタン材等からなる防水材７０が予め貼り付けられている。
【００２２】
溝部１５、１６については、図１、図２の例とは別に、継目部４０のより深い位置に設けられていてもよい。図３、図４はこのような実施の形態を示している。
【００２３】
耐風性、耐振動性等の観点から目地カバー材５０の取り付けの強度や信頼性の向上を図る際には、このような深い位置の選択も有効なものとして考慮される。目地カバー材５０の嵌合片部５１への足の長さもこの深さ位置に合わせることになる。その際に、施工性の向上や保持力の向上のために、図４のように、目地カバー材５０はより大きな弾性変形性を示す形状とすることも考慮される。
【００２４】
また、対向する溝部１５、１６の深さ位置は、図５のように互いに異っていてもよい。壁材１０Ａ、１０Ｂの建物への配設位置の状況に応じて、施工性や保持安定性等を考慮してこのような相違が選択可能である。
【００２５】
目地カバー材５０の取り付けや取り外し等の施工性の観点からは、図６のように、溝部１５、１６の形状が互いに相異していてもよい。この実施の形態では、右側の壁材１０Ａの溝部１５の入口側に傾斜面部１５ａが設けられ、目地カバー材５０の嵌合片部が挿入されやすくしている。
【００２６】
もちろん、溝部１５、１６の断面形状は、以上の形態に限られずに様々であってよい。奥方に向って溝幅が狭くなっていてもよい。あるいは、クッション性止水材６０を用いる図２のような場合には、逆に奥方に向って溝幅が広がり、クッション性止水材６０やクッション材が溝内に確保されやすくしてもよい。
【００２７】
図７は、さらに別の実施の形態を示している。この図７のように、目地カバー材５０は、壁材１０Ａ、１０Ｂの表面と面一になるように取付け高さ位置をそろえなくてもよい。
【００２８】
目地カバー材５０の外観表面部には、凹凸や印刷、塗装等の加飾が施されてもよい。
【００２９】
以上例示されるような本発明の壁材留め付け構造においては、例えば長尺の壁材がその短編両端部での留め付け接続が、壁材の横張り、縦張りのいずれであってもよい。また、金属サイディングの場合には、その素材構成、製造、加工等は従来公知のものをはじめ様々でよい。もちろん、壁材はこれらに限定されることもない。
【符号の説明】
【００３０】
１０Ａ、１０Ｂ  壁材
１１、１２  取付片部
１５、１６  溝部
２０  壁面
３０  止着具
４０  継目部
５０  目地カバー材
５１  嵌合片部
【図１】
2013091904.tif 000003
【図２】
2013091904.tif 000004
【図３】
2013091904.tif 000005
【図４】
2013091904.tif 000006
【図５】
2013091904.tif 000007
【図６】
2013091904.tif 000008
【図７】
2013091904.tif 000009
【図８】
2013091904.tif 000010
【図９】
2013091904.tif 000011
【図１０】
2013091904.tif 000012
【図１１】
2013091904.tif 000013
【図１２】
2013091904.tif 000014
【図１３】
2013091904.tif 000015